【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
第１のコンポーネントと第２のコンポーネント以外のコンポーネントからアクセス可能なバスを介して、互いに通信可能に接続されている前記第１のコンポーネントと前記第２のコンポーネントの間で通信する方法であって、
前記バスを介して情報を送信することなく、前記第１のコンポーネントと前記第２のコンポーネントとの間の通信チャネルを確立すること、および
前記通信チャネルを使用して、前記第１のコンポーネントと前記第２のコンポーネントの間でデータを送信すること
を備えることを特徴とする方法。
【請求項２】
前記第２のコンポーネントは、前記第２のコンポーネントの識別子に関連付けられ、前記データは、前記識別子を備えることを特徴とする請求項１に記載の方法。
【請求項３】
前記識別子は、前記第２のコンポーネントに関連付けられた暗号鍵を備えることを特徴とする請求項２に記載の方法。
【請求項４】
前記第１のコンポーネントは、前記バスを含むコンピューティング装置であり、前記第２のコンポーネントは、前記バスを介して前記コンピューティング装置に、通信可能に接続されるアダプタ・カードであることを特徴とする請求項１に記載の方法。
【請求項５】
前記第１のコンポーネントおよび前記第２のコンポーネントはそれぞれ、光生成捕捉装置が互いの視線内および近隣範囲にある場合に、前記第１のコンポーネントと前記第２のコンポーネントの間の光ベースの通信を可能にする前記光生成捕獲装置を備え、前記第１のコンポーネントおよび前記第２のコンポーネントとの間で通信チャネルを確立することは、前記光生成捕捉装置間の通信を確立することを備えることを特徴とする請求項１に記載の方法。
【請求項６】
前記光生成捕獲装置はそれぞれ、赤外線通信装置を備えることを特徴とする請求項５に記載の方法。
【請求項７】
前記バスは、複数のピン、前記バスを通るデータトラフィック用に指定されていない複数のピンのうちの１つまたは２つ以上を含み、前記通信チャネルは、前記１つまたは２つ以上の指定されていないピンの少なくとも一部を備えることを特徴とする請求項１に記載の方法。
【請求項８】
前記通信チャネルは、前記バスの一部でない有線を備え、前記第１のコンポーネントおよび第２のコンポーネント間で通信チャネルを確立することは、前記有線によって、前記第１のコンポーネントを、前記第２のコンポーネントに通信可能に接続することを備えることを特徴とする請求項１に記載の方法。
【請求項９】
コンピューティング装置は、ローカル・エリア・ネットワークまたは広域エリア・ネットワークを介して、前記第１のコンポーネントまたは前記第２のコンポーネントと通信し、また前記通信チャネルは、前記ローカル・エリア・ネットワークまたは広域エリア・ネットワークを介して、前記コンピューティング装置によって、読出し不可能または書き込み不可能であることを特徴とする請求項１に記載の方法。
【請求項１０】
第１のコンポーネントと、
前記第１のコンポーネントおよび前記第２のコンポーネント以外のコンポーネントからアクセス可能であるバスを含む第１の通信チャネルを介して、前記第１のコンポーネントに通信可能に接続された第２のコンポーネントと、
前記第１のコンポーネントを前記第２のコンポーネントに通信可能に接続し、前記バスにデータを出さずに、前記第１のコンポーネントと前記第２のコンポーネントの間で、少なくとも１つの方向へ前記データを送信することを可能にする、第２の通信チャネルと
を備えることを特徴とするシステム。
【請求項１１】
前記第２の通信チャネルは、前記第１のコンポーネントが、前記第２のコンポーネントの物理的近隣のレベル内に存在する場合にだけ、前記第１のコンポーネントと前記第２のコンポーネントの間で、前記データの送信を可能にすることを特徴とする請求項１０に記載のシステム。
【請求項１２】
前記第１のコンポーネントは、外側ケースを含むコンピュータであり、前記第２の通信チャネルは、前記第２のコンポーネントが前記外側ケースの内側に置かれる前記第１のコンポーネントの少なくとも近くに存在する場合にだけ、前記第１のコンポーネントと前記第２のコンポーネントの間で、前記データの送信を可能にすることを特徴とする請求項１１に記載のシステム。
【請求項１３】
前記データは識別子を含み、前記第２のコンポーネントは前記識別子に関連付けられ、前記データは、前記第２の通信チャネルを介して、前記第２のコンポーネントから前記第１のコンポーネントに送信されることを特徴とする請求項１０に記載のシステム。
【請求項１４】
前記識別子は、前記第２のコンポーネントに関連付けられた暗号鍵を含み、前記暗号鍵は、前記第１のコンポーネントが前記第２のコンポーネントに送信するデータを暗号化するために使用されることを特徴とする請求項１３に記載のシステム。
【請求項１５】
前記第１のコンポーネントと前記第２のコンポーネントが互いに通信するためのドックをさらに含み、前記ドックは、前記第１のコンポーネントおよび前記第２のコンポーネントの近隣のレベル内に検証可能な形で存在し、前記ドックが前記第１のコンポーネントおよび前記第２のコンポーネントの前記近隣レベル内に検証可能な形で存在する場合にだけ、前記第２の通信チャネルは、前記第１のコンポーネントと前記第２のコンポーネントの間で前記データを送信することを特徴とする請求項１０に記載のシステム。
【請求項１６】
前記第１のコンポーネントおよび前記第２のコンポーネントは、前記第２の通信チャネルを介してプロトコルに従って通信を行って、前記第１のコンポーネントおよび前記第２のコンポーネントのそれぞれのアイデンティティおよび現在のプレゼンス（presence）を確立し、また前記第１のコンポーネントおよび前記第２のコンポーネントは、互いに近隣レベル内に存在することを確認することを特徴とする請求項１０に記載のシステム。
【請求項１７】
第１のコンポーネントが、第２のコンポーネントとの第１の位置関係内にあることを確認する方法を実施するための、コンピュータ実行可能命令によって符号化されたコンピュータ読取り可能媒体であって、第１のコンポーネントおよび第２のコンポーネントは、第１のコンポーネントおよび第２のコンポーネントから離れたところにあるソースからアクセス可能なバスによって、互いに通信可能に接続され、前記方法は、
前記第１のコンポーネントから前記第２のコンポーネントに、第１のデータを送信すること、
前記バスを使用せずに、前記第２のコンポーネントから前記第１のコンポーネントに通信チャネルを介して通信された第２のデータを前記第１のコンポーネントで、受信すること、および
前記第２のデータの受信に基づいて、前記第２のコンポーネントは前記第１の位置関係を満たすと決定すること
を備えることを特徴とするコンピュータ読取り可能媒体。
【請求項１８】
前記第１のデータは、前記第１のコンポーネントに関連付けられた暗号鍵を備えることを特徴とする請求項１７に記載のコンピュータ読取り可能媒体。
【請求項１９】
前記第１の位置関係は、前記第１のコンポーネントおよび第２のコンポーネントが近隣レベル内に互いに存在することを備えることを特徴とする請求項１７に記載のコンピュータ読取り可能媒体。
【請求項２０】
前記第１コンポーネントは、ケースで囲まれたコンピューティング装置を備え、前記第１の位置関係は、前記第２のコンポーネントが前記ケース内に置かれていることを備えることを特徴とする請求項１７に記載のコンピュータ読取り可能媒体。
【請求項２１】
前記第２のコンポーネントは、第３のコンポーネントと前記第１のコンポーネントの間の通信を可能にするように前記第３のコンポーネントをインターフェースさせることができるドックを備えることを特徴とする請求項１７に記載のコンピュータ読取り可能媒体。
【請求項２２】
前記方法は、
前記第３のコンポーネントと前記第２のコンポーネントの間の通信を行うことによって、前記第３のコンポーネントが、前記２のコンポーネントとの第２の位置関係内に存在することを確認することをさらに備え、前記通信は、前記第３のコンポーネントおよび前記第２のコンポーネントから離れたところにあるソースからアクセス不可能であるチャネルを介して行われることを特徴とする請求項２１に記載のコンピュータ読取り可能媒体。
【請求項２３】
前記送信することおよび前記受信することは、チャレンジ／レスポンス・プロトコルを共に含み、前記方法はさらに、
前記送信することおよび前記受信することに基づいて、前記第２のコンポーネントが前記通信チャネルを介して前記第１のコンポーネントとライブ通信を行っていること、また前記第２のコンポーネントがリプレイ攻撃によってエミュレートされていないこと、を決定すること
を備えること特徴とする請求項１７に記載のコンピュータ読取り可能媒体。
【請求項２４】
第１のコンポーネントに第２のコンポーネントを接続させるためのドックであって、前記第１のコンポーネントおよび前記第２のコンポーネントから離れたところにある第３のコンポーネントからアクセス可能なバスを介して、第１のコンポーネントに通信可能に接続されている前記ドックは、
前記第２のコンポーネントが通信可能に接続されることができるポートを備え、前記ドックは、前記第２のコンポーネントを、前記バスに通信可能に接続し、さらに、
前記ドックは、前記第１のコンポーネントと通信するための第１のサイド・バンド通信チャネルをさらに備え、前記第１のサイド・バンド通信チャネルは、前記バスを使用せずに、前記ドックと前記第１のコンポーネントの間の通信を可能し、前記ドックが前記第１のコンポーネントとの第１の位置関係を満たす場合は、前記ドックと前記第１のコンポーネントの間のデータ通信を可能にし、
前記ドックが前記第２のコンポーネントと通信するための第２のサイド・バンド通信チャネルをさらに備え、前記第２のコンポーネントが前記ドックとの第２の位置関係を満たす場合は、前記ドックと前記第２のコンポーネントの間のデータ通信を可能にすることを特徴とするドック。
【請求項２５】
前記ドックは、前記ドックが前記第１のコンポーネントとの前記第１の位置関係を満たしていることを証明するために前記第１のコンポーネントとの通信を行うことを特徴とする請求項２４に記載のドック。
【請求項２６】
前記第２のコンポーネントは、前記第２のコンポーネントが前記ドックとの前記第２の位置関係を満たしていることを証明するために前記ドックと通信を行うことを特徴とする請求項２４に記載のドック。
【請求項２７】
前記第１のコンポーネントは、前記バスを備えるコンピュータ装置を備えることを特徴とする請求項２４に記載のドック。
【請求項２８】
前記第１の位置関係および前記第２の位置関係のうちの少なくとも１つは、範囲が限定された近隣レベルを備えることを特徴とする請求項２４に記載のドック。
【請求項２９】
前記ドックが、前記第１の位置関係を満たす位置から、前記第１のサイド・バンド・チャネルを介して、前記第１のコンポーネントと通信しているかどうか、および
前記ドックが、前記第２の位置関係を満たす位置から、前記第２のサイド・バンド・チャネルを介して、前記第２のコンポーネントと通信しているかどうか
のうちの少なくとも１つを決定する論理をさらに備えることを特徴とする請求項２４に記載のドック。
【手続補正２】
【補正対象書類名】図面
【補正対象項目名】図３
【補正方法】変更
【補正の内容】
【図３】
2005032252.tif 000001